(57)【要約】【課題】植栽資材としても花卉や生鮮野菜類の輸送手段としても、安価で取り扱い易く底面潅水機能の点でも優れ、生け花、挿木に好適な水蒸気栽培用植物支持材を提供する。【解決手段】水蒸気漂流層１１の上側にタフテッドパイル布帛１２に成る植栽資材層１３を積層し、包装資材１４で包囲して水蒸気栽培用植物支持材を構成する。水蒸気漂流層には単繊維繊度が１〜３０ｄｔｅｘの合成繊維ウェブと熱融着性低融点ポリマーに成り、嵩比重０．０１ｇ／ｃｍ3 〜０．０７ｇ／ｃｍ3 、空隙率９３％〜９９％の不織布を使用する。植栽資材層には吸湿性合成繊維に成る嵩比重０．０８ｇ／ｃｍ3 〜０．１４ｇ／ｃｍ3 のタフテッドパイル布帛を使用し、そのタフテッドパイル布帛１２を包装資材１４に装填して空隙率８５％〜９６％の植栽資材層とする。植物２１は、植栽資材層の表面に現れて隣り合うタフテッドパイル布帛間の継ぎ目１９に差し込んで支持する。【選択図】図１
2018068151.tif 000002
【特許請求の範囲】
【請求項１】
（ａ）  不織布によって構成された水蒸気漂流層（１１）の上側にタフテッドパイル布帛（１２）によって構成された植栽資材層（１３）を積層して成る積層構造物の周囲を包装資材（１４）で包囲して構成され、
（ｂ）  水蒸気漂流層（１１）を構成している不織布が単繊維繊度１〜３０ｄｔｅｘの合成繊維ウェブと熱融着性低融点ポリマーとによって構成され、
（ｃ）  合成繊維ウェブの隣り合う合成繊維（２５）と合成繊維（２５）の間が熱融着性低融点ポリマーによって接合されており、
（ｄ）  水蒸気漂流層（１１）の嵩比重が０．０１ｇ／ｃｍ3 〜０．０７ｇ／ｃｍ3 であり、水蒸気漂流層（１１）の空隙率が９３％〜９９％であり、
（ｅ）  タフテッドパイル布帛（１２）のパイル（１５）が吸湿性合成繊維によって構成され、タフテッドパイル布帛（１２）の基布（１６）が吸湿性合成繊維を含有し、
（ｆ）  タフテッドパイル布帛が基布（１６）を垂直方向に向け基布（１６）からの突出方向を水平方向に向けて水蒸気漂流層（１１）の上側に並べて積層されており、
（ｇ）  タフテッドパイル布帛（１２）の嵩比重が０．０８ｇ／ｃｍ3 〜０．１４ｇ／ｃｍ3 であり、植栽資材層（１３）の内部の空隙率が８５％〜９６％であることを特徴とする水蒸気栽培用植物支持材。
【請求項２】
タフテッドパイル布帛（１２）のパイル（１５）を構成し基布（１６）が含有する吸湿性合成繊維がレーヨン、ビニロン、アセテートおよびアクリル繊維の何れかであり、水蒸気漂流層（１１）の合成繊維がポリエステル繊維とポリプロピレン繊維の何れかである請求項１に記載の水蒸気栽培用植物支持材。
【請求項３】
水蒸気漂流層（１１）と植栽資材層（１３）の間に肥料成分保持層（１７）が積層されている請求項１と２の何れかに記載の水蒸気栽培用植物支持材。
【請求項４】
水蒸気漂流層（１１）の下層部が貯水性容器（１８）で包まれている請求項１と２と３の何れかに記載の水蒸気栽培用植物支持材。
【請求項５】
包装資材（１４）が防水材である請求項１と２と３と４の何れかに記載の水蒸気栽培用植物支持材。
【請求項６】
包装資材（１４）が、水蒸気漂流層（１１）と植栽資材層（１３）が内嵌する内装材（３４）と、その内装材（３４）が内嵌する外装材（４４）とによる多重構造になっている請求項１と２と３と４と５の何れかに記載の水蒸気栽培用植物支持材。
【請求項７】
内装材（３４）が、水蒸気漂流層（１１）が内嵌する下部内装材（５１）と、植栽資材層（１３）が内嵌する上部内装材（５３）に分割されている請求項６に記載の水蒸気栽培用植物支持材。
【発明の詳細な説明】
【技術分野】
【０００１】
本発明は、播殖床、苗床、挿芽床、挿木床等の植栽床や剣山その他の花卉支持具、輸送生鮮野菜支持具等として植物を支えるために使用される植栽資材に関するものである。
【背景技術】
【０００２】
植栽資材として、貯水層の上側に保温空隙層と土壌層を積層した植物栽培マット（例えば、特許文献１，２参照）、水流通層の上側に毛管上昇遮断空隙層と土壌層を積層した植物栽培装置（例えば、特許文献３参照）、不織布の上側に土壌を積層した底面潅水マット（例えば、特許文献４参照）、水流通層の上側に毛管現象遮断空隙層とタフテッドファブリック層を積層した植栽装置（例えば、特許文献５参照）が知られている。
【先行技術文献】
【特許文献】
【０００３】
【特許文献１】特許第３３９３２０５号公報（特開２００１−２５８３８７）
【特許文献２】特許第４７２５８３９号公報（特開２００６−３２５４６０）
【特許文献３】特公平４−３９２９５号公報（特開昭６１−０８８８２７）
【特許文献４】特許第４７２５８３４号公報（特開２００６−０１４６９１）
【特許文献５】特開２０１４−１１７１６３号公報
【発明の概要】
【発明が解決しようとする課題】
【０００４】
上記特許文献１〜４に記載の植栽資材は、最上層の土壌層が重いので持ち運び難く、移動中に空隙層である下層の保温空隙層や毛管上昇遮断空隙層が押し潰されて貯水層や水流通層に崩れ落ち易く、移動中に振り動かされる輸送生鮮野菜支持具には不向きである。
【０００５】
又、土壌に代えてタフテッドファブリックを植栽床とする上記特許文献５に記載の植栽装置は軽く持ち運びに便利ではあるが、水流通層との間が毛管現象遮断空隙層で仕切られているので、水流通層の水分が植栽床に移行し難い点が問題として残る。
【０００６】
そこで本発明は、軽くて持ち運び易く植栽資材としても花卉や生鮮野菜類の輸送手段としても安価で取り扱い易く、底面潅水機能の点でも優れ、特に、剣山に代用し得て生け花や挿芽・挿木に好適な水蒸気栽培用植物支持材を提供することを目的とする。
【課題を解決するための手段】
【０００７】
本発明に係る水蒸気栽培用植物支持材は、不織布によって構成された水蒸気漂流層１１の上側にタフテッドパイル布帛１２によって構成された植栽資材層１３を積層して成る積層構造物の周囲を包装資材１４で包囲して構成され、水蒸気漂流層１１を構成している不織布が単繊維繊度１〜３０ｄｔｅｘの合成繊維ウェブと熱融着性低融点ポリマーとによって構成され、合成繊維ウェブの隣り合う合成繊維２５と合成繊維２５の間が熱融着性低融点ポリマーによって接合されており、水蒸気漂流層１１の嵩比重が０．０１ｇ／ｃｍ3 〜０．０７ｇ／ｃｍ3 であり、水蒸気漂流層１１の空隙率が９３％〜９９％であり、タフテッドパイル布帛１２のパイル１５が吸湿性合成繊維によって構成され、タフテッドパイル布帛の基布１６が吸湿性合成繊維を含有し、タフテッドパイル布帛が基布１６を垂直方向に向け基布１６からの突出方向を水平方向に向けて水蒸気漂流層の上側に並べて積層されており、タフテッドパイル布帛の嵩比重が０．０８ｇ／ｃｍ3 〜０．１４ｇ／ｃｍ3 であり、植栽資材層１３の内部の空隙率が８５％〜９６％であることを第１の特徴とする。
【０００８】
本発明に係る水蒸気栽培用植物支持材の第２の特徴は、上記第１の特徴に加えて、タフテッドパイル布帛のパイル１５を構成し基布１６が含有する吸湿性合成繊維がレーヨン、ビニロン、アセテートおよびアクリル繊維の何れかであり、水蒸気漂流層１１の合成繊維がポリエステル繊維とポリプロピレン繊維の何れかである点にある。
【０００９】
本発明に係る水蒸気栽培用植物支持材の第３の特徴は、上記第１および第２の何れかの特徴に加えて、水蒸気漂流層１１と植栽資材層１３の間に肥料成分保持層１７が積層されている点にある（図２）。
【００１０】
本発明に係る水蒸気栽培用植物支持材の第４の特徴は、上記第１、第２および第３の何れかの特徴に加えて、水蒸気漂流層１１の下層部が貯水性容器１８で包まれている点にある（図１）。
【００１１】
本発明に係る水蒸気栽培用植物支持材の第５の特徴は、上記第１、第２、第３および第４の何れかの特徴に加えて、包装資材１４が防水材である点にある。
【００１２】
本発明に係る水蒸気栽培用植物支持材の第６の特徴は、上記第１、第２、第３、第４および第５の何れかの特徴に加えて、包装資材１４が、水蒸気漂流層１１と植栽資材層１３が内嵌する内装材３４と、その内装材３４が内嵌する外装材４４とによる多重構造になっている点にある（図４）。
【００１３】
本発明に係る水蒸気栽培用植物支持材の第７の特徴は、上記第６の特徴に加えて、内装材３４が、水蒸気漂流層１１が内嵌する下部内装材５１と、植栽資材層１３が内嵌する上部内装材５３に分割されている点にある（図５）。
【発明の効果】
【００１４】
本発明の植物支持体の下層の水蒸気漂流層１１を水面に沈めると、水蒸気漂流層１１は周囲が包装資材１３で包囲されて密封された空間となる（図１）。
その水蒸気漂流層１１は、隣り合う合成繊維と合成繊維の間が熱融着性低融点ポリマーによって接合された空隙率が９３％〜９９％であり嵩比重が０．０１ｇ／ｃｍ3 〜０．０７ｇ／ｃｍ3 の不織布で構成されており、樹脂皮膜の気泡セル壁で空間が細かく仕切られたポリウレタンその他の樹脂発泡体とは異なり、水面から発生する水蒸気は水蒸気漂流層１１の内部空間に漂い易くなっている。
同じ理由で、水蒸気漂流層の合成繊維２５には短繊維ではなく長繊維を用いる。短繊維では繊維端末が障害物のように隙間２６に突き出て水蒸気の漂流を妨げるからである。
【００１５】
本発明の植物支持体の表面の植栽資材層１３は、基布１６を垂直方向に向けて並べられたタフテッドパイル布帛１２によって構成され、植物支持体の表面は並べられて水平方向に重なり合って隣り合うタフテッドパイル布帛１２とタフテッドパイル布帛１２との間の垂直方向にも水平方向にも長く続く継ぎ目１９・１９・１９………が水平方向に幾重にも現れる。その継ぎ目１９は、隣り合うタフテッドパイル布帛１２とタフテッドパイル布帛１２とが接着されず単に触れ合って垂直方向にも水平方向にも続く臨界面であるから、植栽資材層１３の下層の水蒸気漂流層１１の内部の密封空間を漂う水蒸気は、その臨界面に沿って上昇し易く、植栽資材層１３のパイル間の隙間に沿って上昇する過程で結露して植栽資材層１３に吸収される。
【００１６】
そのため、その植物支持体の表面に沿って続く継ぎ目１９・１９………に沿って挿芽や挿木、花卉等を差し込めば、その挿芽や挿木、花卉等は、継ぎ目１９・１９………に沿って発根し、水蒸気漂流層１１に向けて、パイル間の隙間を縫うように根２０を降ろす（図３）。こうして植物２１を増殖させ、輸送過程では鮮度を保持することが出来る。
【００１７】
植物支持体は、嵩比重が０．０１ｇ／ｃｍ3 〜０．０７ｇ／ｃｍ3 の水蒸気漂流層１１と嵩比重が０．０８ｇ／ｃｍ3 〜０．２０ｇ／ｃｍ3 の植栽資材層１３とで構成され、水蒸気栽培用植物支持材全体の嵩比重は多く見積もっても０．２０ｇ／ｃｍ3 未満となり、直径７ｃｍ×丈１０ｃｍのコップ相当の植物支持体の質量は６０５×０．２≒１２１（ｇ）と軽い。植栽資材層１３は、弾性変形可能な不織布（１１）とタフテッドパイル布帛１２で構成されているので、植栽するとしても輸送するとしても数十個の植物支持体をトレーに装填して効率的に取り扱うことが出来る。
【００１８】
タフテッドパイル布帛１２は、公定水分率１１．０％のレーヨン、公定水分率５．０％のビニロン繊維、公定水分率３．０〜６．５％のアセテート、公定水分率１〜２％のアクリル繊維等の吸湿性合成繊維に成るので、水蒸気が結露して植栽資材層１３に貯えられ、植物２１へと供給し易い。
水蒸気漂流層１１を公定水分率が０％のポリプロピレン繊維や０．４％のポリエステル繊維に成る不織布で構成すれば、水蒸気漂流層内を漂う水蒸気は相変化して結露水になることなく水蒸気漂流層内は水蒸気で充満して植栽資材層１３に移行し易い。
【００１９】
水蒸気漂流層１１と植栽資材層１３の間に植物質肥料成分保持層１７が積層されていれば、植物質肥料成分保持層１７に移行した水蒸気が植物質資料に触れ結露して液体肥料となるので、植栽過程や輸送過程での施肥管理が簡略化され楽になる。
【００２０】
水蒸気漂流層１１の下層部が貯水性容器１８で包まれていれば、植栽過程や輸送過程で水蒸気漂流層１１が乾燥状態になる危険が回避され、潅水管理が簡略化され楽になる。
貯水性容器１８の深さは、水蒸気漂流層全体が水２２で満たされることがないように水蒸気漂流層１１の深さよりも浅くし、或いは、水蒸気漂流層１１の深さよりも浅い位置にオーバーフロー孔を設ける。そのようにオーバーフロー孔を設ける場合、貯水性容器１８を包装資材１４に兼用することが出来る。
包装資材１４に防水材を使用すれば、水蒸気漂流層内の気密化が担保される。
【００２１】
包装資材１４を水蒸気漂流層１１と植栽資材層１３が内嵌する内装材３４と、その内装材３４が内嵌する外装材４４とによる多重構造にすると、包装資材１４が強度的に安定し、水蒸気漂流層１１や植栽資材層１３を包装資材１４の空洞３１・３３に装填し易くなり、水蒸気栽培用植物支持材を効率的に組み立て経済的に提供することが可能となる。
【００２２】
特に、内装材３４を、水蒸気漂流層１１が内嵌する下部内装材５１と、植栽資材層１３が内嵌する上部内装材５３に分割すると、外装材４４の空洞３０に上部内装材５３と下部内装材５１を上側からと下側からと別々に装填し、それらを空洞内３０で位置合せをすることが出来、上部内装材５３の上縁と植栽資材層１３の上縁、および、下部内装材５１の下縁と植栽資材層１３の下縁を効率的に揃えることが可能となる。
【００２３】
本発明において、包装資材１４を内装材３４と外装材４４とによる多重構造、或いは、包装資材１４を内装材３４と外装材４４とによる二重構造と言う『多重』或いは『二重』とは、内装材３４と外装材４４を『上下多重』或いは『上下二重』にすることを意味せず、図４と図５に図示するように、内装材３４と外装材４４を『水平方向に多重』或いは『水平方向に二重』にすることを意味する。
【００２４】
そのように包装資材１４を内装材３４と外装材４４とによる多重構造、或いは、包装資材１４を内装材３４と外装材４４とによる二重構造にする場合、内装材３４と外装材４４の色彩を変えると、水蒸気栽培用植物支持材の上端縁がツウトーンカラーに縁取られて美しく仕上がる。
水蒸気栽培用植物支持材の上端を美しく仕上げる上では、水蒸気栽培用植物支持材の上端に現れるタフテッドパイル布帛１２の上端縁２７にオーバーロックを施し、或いは、タフテッドパイル布帛１２の上端縁２７をヒートカットして解れ止めを施しておくことが望ましい。
【００２５】
植栽資材層１３は、タフテッドパイル布帛１２を水平方向に巻き込んで構成してもよいし）図１）、水平方向に寄せ集めて構成してもよい（図２，図３）。
水蒸気栽培用植物支持材の上端を美しく仕上げる上では、タフテッドパイル布帛１２の上端縁２７と内装材３４の上端をツウトーンカラーに彩ることが望ましい。
【００２６】
タフテッドパイル布帛１２の嵩比重が０．０８ｇ／ｃｍ3 〜０．１４ｇ／ｃｍ3 であり、タフテッドパイル布帛１２を構成している吸湿性合成繊維が例えば比重２．０のアクリル繊維であれば、植栽資材層１３に占める吸湿性合成繊維の容積比率は４％〜７％となり、植栽資材層内部に占める空隙率は吸湿性合成繊維の容積比率を差し引いた９３％〜９６％となるべきである。
しかし本発明において、植栽資材層１３の内部の空隙率を８５％〜９６％に規定している理由は、タフテッドパイル布帛が嵩高な物品であり、包装資材１４に装填するときは、その装填の仕方で嵩が増減変化して、植栽資材層１３の内部の空隙率が８５％〜９６％になることによる。
【００２７】
そのように嵩を縮め装填された植栽資材層１３は、包装資材１４の入り口に装填された栓となって水蒸気栽培用植物支持材を密封することになるから、その嵩の縮め具合によって水蒸気漂流層に漂う水蒸気の植栽資材層１３への移行が抑えられ、又、植栽資材層１３からの水蒸気の発散も抑えられる。
従って、植栽資材層１３であるタフテッドパイル布帛１２の包装資材１４への装填の仕方によって植栽資材層１３の貯水量や水蒸気漂流層１１の水蒸気の漂流密度を調製することが出来、それらの貯水量や漂流密度を加減するために嵩比重の異なる種々のタフテッドパイル布帛１２を用意する必要はなく、本発明を経済的に実施することが出来る。
【図面の簡単な説明】
【００２８】
【図１】本発明に係る水蒸気栽培用植物支持材の斜視図である。
【図２】本発明に係る水蒸気栽培用植物支持材の斜視図である。
【図３】本発明に係る水蒸気栽培用植物支持材の植栽資材層の斜視図である。
【図４】本発明に係る水蒸気栽培用植物支持材の外装資材の斜視図である。
【図５】本発明に係る水蒸気栽培用植物支持材の外装資材の斜視図である。
【発明を実施するための形態】
【００２９】
植栽資材層１３の嵩比重を緻密にし、内部の空隙率を少なくするには、基布１６を垂直方向に向けて水蒸気漂流層１１の上側に並べて積層して水平方向に隣り合って重なるタフテッドパイル布帛１２を紐で結束して包装資材１４に装填する。
タフテッドパイル布帛１２の並べ方は、タフテッドパイル布帛１２を渦巻き状に巻き込んでもよいし（図１）、タフテッドパイル布帛１２の裁断片を平行に並べたものでもよい（図２）。
【００３０】
肥料成分保持層１７には、枯れ葉や枯れ草、水苔等の繊維質植物、堆肥や腐葉土を主材とし、化成肥料や苦土石灰、油粕，骨粉、鶏糞、土等を配合して使用する。
【００３１】
包装資材１４には可撓性に富むポリエチレン、ポリプロピレン、エチレン・酢酸ビニル等の軟質プラスチックフィルムを使用することが出来、それにはブロー成形された円筒形フィルムが好適に使用される。
そのようにプラスチックフィルムに成る包装資材は、水蒸気栽培用植物支持材が直方体であれば直方体に変形するし、水蒸気栽培用植物支持材が三角柱であれば三角柱に変形するので水蒸気栽培用植物支持材の装填前に円筒形を成すものである必要はなく、矩形のプラスチックフィルムを折り畳んで底辺と側縁を綴じ合せた袋状のものであってもよい。
又、植物支持材はコップその他の容器に装填して使用し得るので、包装資材１４を必ずしも周囲が密封された円筒形にする必要はなく、矩形のプラスチックフィルムを折り畳んで重なり合う側縁と側縁を接着テープで部分的に綴じ合せたものであってもよい。
但し、円筒形包装資材１４を使用する場合は、円筒形包装資材１４の両端に装填される植栽資材層１３と水蒸気漂流層１１が栓となって水蒸気栽培用植物支持材を密封することになるから、その装填時の植栽資材層１３や水蒸気漂流層１１の嵩の縮め具合によって、水蒸気漂流層に漂う水蒸気の植栽資材層１３への移行具合を調整し、又、植栽資材層１３からの水蒸気の発散具合も調整し得るメリットもある。
【００３２】
要するに、包装資材１４は、使用前の水蒸気栽培用植物支持材が植栽資材層１３と水蒸気漂流層１１に分離しないように繋ぎ止めるものであればよい。
しかし、包装資材１４は、その外周が植栽資材層１３や水蒸気漂流層１１の外周よりも狭く、嵩を縮めて装填した植栽資材層１３や水蒸気漂流層１１が、その有する弾性回復力によって包装資材１４の内面に密着する寸法（大きさ）にすることが望ましい。
【００３３】
包装資材１４は、貯水性容器１８に兼用し得るものであってもよい。
貯水性容器１８を兼ねた包装資材１４にガラス、アルミニウム、ステンレス、銅その他の金属やポリスチレン、硬質塩化ビニル、硬質ポリエチレン、硬質ポリエステル等の硬質資材を使用する場合は、それを矩形の水槽形にし、或いは、縦横何れか一方の寸法が他方の寸法の５倍以上となる細長い溝形にし、適宜内部を数区画に仕切った各区画に複数個の植物支持材を装填して使用することが出来る。
細長い溝形の貯水性容器１８を兼ねた包装資材１４を使用する場合は、その長さ方向に一直線状に続くように二枚のタフテッドパイル布帛１２・１２を向かい合せに並べて装填することも出来る。
【００３４】
タフテッドパイル布帛１２も不織布（１１）もクッション性に優れた繊維性多孔質物質である。本発明では、その二つの繊維性多孔質物質を水蒸気漂流層１１と植栽資材層１３に使い分けている。
そのように使い分ける理由は、水蒸気漂流層１１に適用している不織布の構造が単純で繊維２５と繊維２５に囲まれる繊維間の隙間２６が大きく、その隙間２６を通って水蒸気が自由に漂流し得る特徴があるが、植栽資材層１３に適用しているタフテッドパイル布帛１２には基布１６があって水蒸気が表裏漂流し難く、そのパイルの繊維２３と繊維２３に囲まれる繊維間の隙間２４が細かく、パイルに妨げられて水蒸気が自由に漂流しないと言う不織布とタフテッドパイル布帛との細部の構造と性状の差異による（図２）。
従って、水蒸気漂流層１１の空隙率を水蒸気漂流層１１の空隙率よりも多くすることが肝要である。
【００３５】
水蒸気漂流層１１では繊維２５と繊維２５の間が熱融着性低融点ポリマーによって接合され、水蒸気漂流層１１の内部構造が安定しており、水蒸気漂流層内での水蒸気の自由な漂流性は長期に亙って維持される（図２）。
植栽資材層１３でも隣り合うパイル１５とパイル１５が基布１６に植設されていて移動することなく、植栽資材層１３の内部構造が安定に維持され、隣り合うパイル１５とパイル１５の隙間１０を縫って水蒸気が漂流し、繊維２３と繊維２３の間の細かい隙間２４からパイル１５に吸収されて結露する（図２）。
【００３６】
包装資材１４を、水蒸気漂流層１１と植栽資材層１３が内嵌する内装材３４と、その内装材３４が内嵌する外装材４４との二重構造にする場合、外装材４４にはプラスチックフィルムや薄手の布帛を使用し、内装材３４には厚手の布帛を使用し、外装材４４を内装材３４よりも可撓にし、内装材３４を外装材４４に比して形状安定にすると、外装材４４で内装材３４を被覆し易くなるので好都合である。
内装材３４には、厚手の布帛として、タフテッドパイル布帛やニードルパンチングフェルトを使用するとよい。
【００３７】
内装材３４を下部内装材５１と上部内装材５３に分割する場合、それらには水蒸気漂流層１１と同質の嵩比重が０．０１ｇ／ｃｍ3 〜０．０７ｇ／ｃｍ3 で空隙率が９３％〜９９％であり、繊維間が熱融着性低融点ポリマーによって接合された不織布を使用するとよい。
【００３８】
稲や水草には充分な水を必要とするが、露地栽培の野菜や花卉は、日照りのなかで萎れていても、陽が沈んで夜になると息を吹き返す。
その露地栽培の野菜や花卉が地下から湧き出る僅かな水蒸気を吸って生命を繋ぐように、植栽資材層１３に差し込んだ野菜や花卉も、多量な水を必要とせず、水蒸気漂流層１１から湧き出る水蒸気と酸素を共に吸収して健やかに育つところ、本発明の植物支持材が水蒸気栽培用植物支持材と評価される由縁である。
【産業上の利用可能性】
【００３９】
本発明の水蒸気栽培用植物支持材は、播殖床、苗床、挿芽床、挿木床等の植栽床や、剣山その他の花卉支持具、輸送生鮮野菜その他の植物支持具として、農園や菜園、市場や店頭、車内や室内、温室や調理場で広く使用される。
【符号の説明】
【００４０】
１０：隙間
１１：水蒸気漂流層
１２：タフテッドパイル布帛
１３：植栽資材層
１４：包装資材
１５：パイル
１６：基布
１７：肥料成分保持層
１８：貯水性容器
１９：継ぎ目
２０：根
２１：植物
２２：水
２３：繊維
２４：隙間
２５：繊維
２６：隙間
２７：上端縁
３０：空洞
３１：空洞
３３：空洞
３４：内装材
４４：外装材
５１：下部内装材
５３：上部内装材
【図１】
2018068151.tif 000003
【図２】
2018068151.tif 000004
【図３】
2018068151.tif 000005
【図４】
2018068151.tif 000006
【図５】
2018068151.tif 000007